(57)【要約】【課題】  接点群を複数有しているメモリーカードにおいて相手機器に接続する際にどの接点群を相手機器に向けて差し込めばよいか判らなかったり、誤って間違った接点群を挿入して接点群を痛めてしまうといった問題を解決する。【解決手段】  接点群を複数有したメモリーカードにおいて、複数の接点群を選択的に被覆可能な入出力端子カバーと接点群名称を示す表示手段を設け、前記入出力端子カバーは一方の端子群を被覆している時は被覆している端子群の名称を示す表示手段も被覆するようにした。【選択図】  図１
2007323413.tif 000002
【特許請求の範囲】
【請求項１】
データを記憶する記憶手段と相手機器と電気的な接続によって前記データのやりとりを行うための第一の入出力端子群と、前記データのやりとりを行うための前記第一の入出力端子群と異なる第二の入出力端子群を有したメモリーカードにおいて、
前記第一の入出力端子群と前記第二の入出力端子群を選択的に被覆可能な入出力端子カバーと前記第一の入出力端子群と前記第二の入出力端子群の入出力端子群名称を示す表示手段を有し、前記入出力端子カバーは前記第一の入出力端子群を被覆している時は前記第二の入出力端子群の名称を示す表示手段を被覆し、前記第二の入出力端子群を被覆している時は前記第一の入出力端子群の名称を示す表示を被覆することを特徴とするメモリーカード。
【請求項２】
前記表示手段は少なくともどちらか一方が立体的な文字や記号で形成されていることを特徴とする請求項１に記載のメモリーカード。
【発明の詳細な説明】
【技術分野】
【０００１】
本発明は記録再生装置に着脱可能な記録媒体に関するものである。
【背景技術】
【０００２】
従来の複数の接点群を有するメモリーカードには特許文献１で開示されているようにメモリーカードの対向する両辺それぞれに接点群を設けているものがあった。また特許文献２で開示されているようにメモリカードの対向する両辺それぞれに異なる接点群を設けているものがあった。
【特許文献１】特開平２-３０１０９２号公報
【特許文献２】特開平９-１９６７号公報
【発明の開示】
【発明が解決しようとする課題】
【０００３】
しかし上記従来例においては接点群を複数有しているのでメモリーカードを相手機器に接続する際にどの接点群を相手機器に向けて差し込めばよいか判らなかったり、誤って間違った向きに挿入して接点群を痛めてしまうといった問題があった。
【０００４】
本発明の目的は、複数の接点群を有したメモリーカードにおいて、相手機器に接続を行なうためにどの接点群を使用すればよいか判りやすくすることである。
【課題を解決するための手段】
【０００５】
上記目的を達成するために本出願の第一の発明では、データを記憶する記憶手段と相手機器と電気的な接続によって前記データのやりとりを行うための第一の入出力端子群と前記データのやりとりを行うための前記第一の入出力端子群と異なる第二の入出力端子群を有したメモリーカードにおいて、前記第一の入出力端子群と前記第二の入出力端子群を選択的に被覆可能な入出力端子カバーと前記第一の入出力端子群と前記第二の入出力端子群の入出力端子群名称を示す表示手段を設け、前記入出力端子カバーは前記第一の入出力端子群を被覆している時は前記第二の入出力端子群の名称を示す表示手段を被覆し、前記第二の入出力端子群を被覆している時は前記第一の入出力端子群の名称を示す表示を被覆するようにしたことを特徴としている。
【０００６】
また、本出願の第二の発明では、前記第一の発明の前記表示手段の少なくともどちらか一方を立体的な文字や記号で形成したことを特徴としている。
【発明の効果】
【０００７】
本出願の第一の発明では、データを記憶する記憶手段と相手機器と電気的な接続によって前記データのやりとりを行うための第一の入出力端子群と前記データのやりとりを行うための前記第一の入出力端子群と異なる第二の入出力端子群を有したメモリーカードにおいて、前記第一の入出力端子群と前記第二の入出力端子群を選択的に被覆可能な入出力端子カバーと前記第一の入出力端子群と前記第二の入出力端子群の入出力端子群名称を示す表示手段を設け、前記入出力端子カバーは前記第一の入出力端子群を被覆している時は前記第二の入出力端子群の名称を示す表示手段を被覆し、前記第二の入出力端子群を被覆している時は前記第一の入出力端子群の名称を示す表示を被覆するようにしたことによりメモリカードの使用可能状態にある端子群を使用者が確認できるといった効果がある。
【０００８】
また、本出願の第二の発明では、前記第一の発明の前記表示手段の少なくともどちらか一方を立体的な文字や記号で形成したことにより使用者はメモリカード触ることで使用可能状態にある端子群を確認できるといった効果がある。
【発明を実施するための最良の形態】
【０００９】
次に、本発明の詳細を実施例の記述に従って説明する。
【実施例１】
【００１０】
図１は本発明を実施したメモリーカードの構成を示す図で、同図において１はメモリーカード本体で、２aから２eで構成された端子群２と３aから３dで構成された端子群３を有している。４は端子群３の名称を示す文字でメモリーカード本体１に立体的に彫刻されている。５は端子群２の名称を示す文字でメモリーカード本体１の表面に平面的に印刷されている。６はメモリーカード本体１の内部に設けられたデータを記憶したり、前記端子群２や端子群３を介してデータを他の情報機器に転送するメモリ部である。７は前記端子群２および端子群３を物理的に保護するための保護板で、前記メモリカード本体１に設けられた溝部１aに係合する突起部７bを有し、メモリーカード本体に対し摺動可能に取り付けられている。また前記保護板７には窓部７aが設けられており、メモリーカード本体１の前記文字４、前記文字５を確認できるようになっている。
【００１１】
図２は前記保護板７の動作状態を示す図で図２（A）は端子群２は保護板７で覆われ、端子群３が露出しており、端子群３が使用可能な状態を示している。このとき保護板７の窓部７aはメモリーカード本体１の端子群３の名称を示す文字４の位置にあるので使用者は端子群３がUSB端子群であることを知ることが可能となる。図２（A）の状態から前記保護板７を右方にスライドすることにより図２（B）の状態になる。図２（B）では端子群３は保護板７で覆われ、端子群２が露出しており、端子群２が使用可能な状態を示している。このとき保護板７の窓部７aはメモリーカード本体１の端子群２の名称を示す文字５の位置にあるので使用者は端子群２がＳＤ端子群であることを知ることが可能となる。また前記文字４はメモリーカード本体１に立体的に刻印され、前記文字５は平面的に印刷しているので、使用者は少なくとも一方の文字の状態が立体的か、平面的かを記憶することにより、使用者は窓部を指で触るだけでも保護板７の状態が図２の（Ａ）（Ｂ）いずれの状態かを知ることが可能となる。なお前記保護板７を図２の（Ａ）から（Ｂ）の状態にスライドする時またはその逆にスライドする時には図示しないクリック機構により所定以上の負荷が必要になっていて、不用意に保護板７がスライドしないようになっているものとする。
【図面の簡単な説明】
【００１２】
【図１】本発明を実施したメモリーカードの構成を示す図
【図２】前記保護板７の動作状態を示す図
【符号の説明】
【００１３】
１  メモリーカード本体
２  端子群２
３  端子群３
４  文字
５  文字
６  メモリ部
７  保護板
【図１】
2007323413.tif 000003
【図２】
2007323413.tif 000004